【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
フレームメモリに格納された参照画像を参照して、動画像信号の各フレームを所定の単位に分割した符号化単位領域ごとに動き補償予測を行って圧縮符号化を行う画像符号化装置において、
所定の制御信号に基づいて、上記フレームメモリ中の参照画像の書き換えを制御するフレームメモリ記憶制御手段と、
上記フレームメモリ記憶制御手段の制御の結果得られる参照画像を用いて、上記符号化単位領域ごとに、予測効率が大きい予測モードと動きベクトルとを生成する動き補償予測手段と、
を有することを特徴とする画像符号化装置。
【請求項２】
動画像信号の各フレームを所定の単位に分割した符号化単位領域ごとに動き補償予測を行って圧縮符号化されたビットストリームを入力とし、フレームメモリに格納された参照画像を参照して動画像信号を復元する画像復号化装置において、
上記圧縮符号化ビットストリームから、動き補償予測の単位となる符号化単位領域ごとに対応する動きベクトルおよび予測モードを復号する復号手段と、
所定の制御信号に基づいて、上記フレームメモリ中の参照画像の書き換えを制御するフレームメモリ記憶制御手段と、
上記フレームメモリ記憶制御手段の制御の結果得られる参照画像のいずれかを上記復号手段で復号された予測モードに基づいて参照し、上記動きベクトルに基づき予測画像を生成する動き補償手段と、
を有することを特徴とする画像復号化装置。
【請求項３】
上記フレームメモリ記憶制御手段は、継続的に記憶する参照画像と判断した参照画像を上記フレームメモリに記憶する場合、所定の時間間隔分だけフレームメモリの更新を行わないよう制御することを特徴とする請求項１記載の画像符号化装置。
【請求項４】
上記フレームメモリ記憶制御手段は、継続的に記憶する参照画像と判断した参照画像をフレームメモリに記憶する場合、所定の時間間隔分だけフレームメモリの更新を行わないよう制御することを特徴とする請求項２記載の画像復号化装置。
【請求項５】
上記フレームメモリ記憶制御手段により制御され継続的に記憶する参照画像と判断した参照画像が記憶される上記フレームメモリを固定的に設けるように構成したことを特徴とする請求項１または３いずれかに記載の画像符号化装置。
【請求項６】
上記フレームメモリ記憶制御手段により制御され継続的に記憶する参照画像と判断した参照画像が記憶される上記フレームメモリを固定的に設けるように構成したことを特徴とする請求項２または４いずれかに記載の画像復号化装置。
【請求項７】
上記フレームメモリ記憶制御手段は、上記フレームメモリへの継続的に記憶する参照画像の書換え処理を、フレーム単位で行うことを特徴とする請求項１または３または５いずれかに記載の画像符号化装置。
【請求項８】
上記フレームメモリ記憶制御手段は、上記フレームメモリへの継続的に記憶する参照画像の書換え処理を、フレーム単位で行うことを特徴とする請求項２または４または６いずれかに記載の画像復号化装置。
【請求項９】
上記フレームメモリ記憶制御手段は、上記フレームメモリへの継続的に記憶する参照画像の書換え処理を、マクロブロック単位で行うことを特徴とする請求項１または３または５いずれかに記載の画像符号化装置。
【請求項１０】
上記フレームメモリ記憶制御手段は、上記フレームメモリへの継続的に記憶する参照画像の書換え処理を、マクロブロック単位で行うことを特徴とする請求項２または４または６いずれかに記載の画像復号化装置。
【請求項１１】
上記動き補償予測手段は、上記動画像信号の予測モードに基づいて上記順次更新用のフレームメモリと継続記憶用のフレームメモリとのうち少なくとも一方のフレームメモリに格納された参照画像を参照して動き補償予測を行う場合、動きベクトルの探索範囲を可変とすることを特徴とする請求項１または３または５または７または９いずれかに記載の画像符号化装置。
【請求項１２】
さらに、動きベクトルを保持し、該動きベクトルと過去の動きベクトルとの差分ベクトルを算出する差分ベクトル生成手段を備え、
上記差分ベクトルを可変長符号化することを特徴とする請求項１または３または５または７または９または１１いずれかに記載の画像符号化装置。
【請求項１３】
過去の復号済み動きベクトルを保持し、差分ベクトルに過去の復号済み動きベクトルを加算して動きベクトルを復元する動きベクトル加算部を備えたことを特徴とする請求項２または４または６または８または１０いずれかに記載の画像復号化装置。
【請求項１４】
動画像の画面を構成する複数個のオブジェクトを所定の単位に分割した符号化単位領域ごとに動き補償予測を行って圧縮符号化されたビットストリームを入力として、上記オブジェクト単位に上記フレームメモリに格納された参照画像を参照して動画像信号を復元する画像復号化装置において、
上記圧縮符号化ビットストリームから、動き補償予測の単位となる符号化単位領域ごとに対応する動きベクトルおよび予測モードを復号する復号手段と、
所定の制御信号に基づいて、上記フレームメモリ中の参照画像の書き換えを制御するフレームメモリ記憶制御手段と、
上記フレームメモリ記憶制御手段の制御の結果得られる参照画像のいずれかを上記復号手段で復号された予測モードに基づいて参照し、上記動きベクトルに基づき予測画像を生成する動き補償手段と、
を有することを特徴とする画像復号化装置。
【請求項１５】
上記フレームメモリ記憶制御手段は、復号対象とするオブジェクトの過去の復号画像を記憶した上記フレームメモリ内の該オブジェクトが存在する領域の画像内容の書換えを、所定の時間間隔で行うことを特徴とする請求項１４に記載の画像復号化装置。
【請求項１６】
さらに、各オブジェクト毎にフレームメモリ群内の画像を参照して得られた過去の復号済み動きベクトルをある時間だけ保持して、復号された差分ベクトルに上記過去の復号済み動きベクトルを加算して、オブジェクト毎に動きベクトルを復元する動きベクトル加算手段を備えたことを特徴とする請求項１４または１５いずれかに記載の画像復号化装置。
【請求項１７】
フレームメモリに格納された参照画像を参照して、動画像信号の各フレームを所定の単位に分割した符号化単位領域ごとに動き補償予測を行って圧縮符号化を行う画像符号化方法において、
所定の制御信号に基づいて、上記フレームメモリ中の参照画像の書き換えを制御するフレームメモリ記憶制御ステップと、
上記フレームメモリ記憶制御ステップの制御の結果得られる参照画像を用いて、上記符号化単位領域ごとに、予測効率が大きい予測モードと動きベクトルとを生成する動き補償予測ステップと
を有することを特徴とする画像符号化方法。
【請求項１８】
動画像信号の各フレームを所定の単位に分割した符号化単位領域ごとに動き補償予測を行って圧縮符号化されたビットストリームを入力とし、フレームメモリに格納された参照画像を参照して動画像信号を復元する画像復号化方法において、
上記圧縮符号化ビットストリームから、動き補償予測の単位となる符号化単位領域ごとに対応する動きベクトルおよび予測モードを復号する復号ステップと、
所定の制御信号に基づいて、上記フレームメモリ中の参照画像の書き換えを制御するフレームメモリ記憶制御ステップと、
上記フレームメモリ記憶制御ステップの制御の結果得られる参照画像のいずれかを上記復号ステップで復号された予測モードに基づいて参照し、上記動きベクトルに基づき予測画像を生成する動き補償ステップと、
を有することを特徴とする画像復号化方法。